(57)【要約】【課題】機密印刷を行う際に画像形成装置のリソースが不要に消費されてしまうことを防止できる印刷調停装置、印刷調停システム及び印刷調停プログラムを提供する。【解決手段】受信部２１２は、ＰＣから、ＰＣで作成された機密印刷用の印刷ジョブを識別する機密印刷識別情報を含む調停要求を受信する。生成部２５２は、受信された調停要求を識別する調停要求識別情報を生成し、調停要求に対応付けて調停情報記憶部２４２に記憶する。第１送信部２１４は、調停要求識別情報をＰＣに送信する。入力受付部２５４は、入力部２３０から、機密印刷識別情報の入力を受け付ける。検索部２５６は、調停情報記憶部から、入力が受け付けられた機密印刷識別情報と一致する機密印刷識別情報を含む調停要求を検索する。第２送信部２１６は、検索された調停要求に対応付けられた調停要求識別情報をＰＣに再送して、プリンタへの印刷ジョブの送信を指示する。【選択図】図３
2011186841.tif 000002
【特許請求の範囲】
【請求項１】
外部装置から、前記外部装置で作成された機密印刷用の印刷ジョブを識別する機密印刷識別情報を含む調停要求を受信する受信手段と、
受信された前記調停要求を識別する調停要求識別情報を生成し、前記調停要求に対応付けて調停情報記憶手段に記憶する生成手段と、
前記調停要求識別情報を前記外部装置に送信する第１送信手段と、
入力手段から、機密印刷識別情報の入力を受け付ける入力受付手段と、
前記調停情報記憶手段から、入力が受け付けられた前記機密印刷識別情報と一致する機密印刷識別情報を含む調停要求を検索する検索手段と、
検索された前記調停要求に対応付けられた前記調停要求識別情報を前記外部装置に再送して、画像形成装置又は印刷サーバへの前記印刷ジョブの送信を指示する第２送信手段と、
を備えることを特徴とする印刷調停装置。
【請求項２】
前記調停要求は、更に、前記印刷ジョブのタイトルを含み、
前記検索手段により検索された前記調停要求に含まれる前記タイトルを表示する表示手段を更に備え、
前記入力受付手段は、更に、表示された前記タイトルの選択入力を受け付け、
前記第２送信手段は、選択入力が受け付けられた前記タイトルを含む前記調停要求に対応付けられた前記調停要求識別情報を前記外部装置に再送することを特徴とする請求項１に記載の印刷調停装置。
【請求項３】
前記調停要求が前記調停情報記憶手段に記憶されている期間を計測し、一定期間が経過したか否かを判定する計測手段と、
前記一定期間が経過した前記調停要求を、前記調停情報記憶手段から消去する消去手段と、
を更に備えることを特徴とする請求項１又は２に記載の印刷調停装置。
【請求項４】
前記機密印刷識別情報は、ＩＣカードのＩＤであり、
前記入力手段は、前記ＩＣカードから前記ＩＤを読み取って入力するＩＣカードリーダであることを特徴とする請求項１〜３のいずれか１つに記載の印刷調停装置。
【請求項５】
前記外部装置は、情報処理装置であることを特徴とする請求項１〜４のいずれか１つに記載の印刷調停装置。
【請求項６】
前記外部装置は、前記印刷サーバであり、
前記第２送信手段は、検索された前記調停要求に対応付けられた前記調停要求識別情報を前記印刷サーバに再送して、前記画像形成装置への前記印刷ジョブの送信を指示することを特徴とする請求項１〜４のいずれか１つに記載の印刷調停装置。
【請求項７】
画像形成装置又は印刷サーバとネットワークを介して接続される情報処理装置と、前記情報処理装置と前記ネットワークを介して接続される印刷調停装置と、を備える印刷調停システムであって、
前記情報処理装置は、
機密印刷用の印刷ジョブを作成して、印刷情報記憶手段に記憶する作成手段と、
前記印刷ジョブを識別する機密印刷識別情報の入力を受け付ける入力受付手段と、
前記機密印刷識別情報を前記印刷ジョブに対応付けて前記印刷情報記憶手段に記憶する第１書込手段と、
前記機密印刷識別情報を含む調停要求を前記印刷調停装置に送信する第１送信手段と、
前記印刷調停装置から、前記調停要求を識別する調停要求識別情報を受信する第１受信手段と、
前記第１受信手段により受信された前記調停要求識別情報を、前記印刷ジョブに対応付けて前記印刷情報記憶手段に記憶する第２書込手段と、
前記印刷調停装置から再送される前記調停要求識別情報を受信する第２受信手段と、
前記印刷情報記憶手段から、前記第２受信手段により受信された前記調停要求識別情報と一致する調停要求識別情報を検索する検索手段と、
検索された前記調停要求識別情報が対応付けられている印刷ジョブを前記画像形成装置又は前記印刷サーバに送信する第２送信手段と、を備え、
前記印刷調停装置は、
前記情報処理装置から、前記調停要求を受信する受信手段と、
受信された前記調停要求を識別する前記調停要求識別情報を生成し、前記調停要求に対応付けて調停情報記憶手段に記憶する生成手段と、
前記調停要求識別情報を前記情報処理装置に送信する第１送信手段と、
入力手段から、機密印刷識別情報の入力を受け付ける入力受付手段と、
前記調停情報記憶手段から、入力が受け付けられた前記機密印刷識別情報と一致する機密印刷識別情報を含む調停要求を検索する検索手段と、
検索された前記調停要求に対応付けられた前記調停要求識別情報を前記情報処理装置に再送する第２送信手段と、を備えることを特徴とする印刷調停システム。
【請求項８】
情報処理装置及び画像形成装置とネットワークを介して接続される印刷サーバと、前記印刷サーバと前記ネットワークを介して接続される印刷調停装置と、を備える印刷調停システムであって、
前記印刷サーバは、
前記情報処理装置から、機密印刷用の印刷ジョブと前記印刷ジョブを識別する機密印刷識別情報とを受信する印刷情報受信手段と、
前記印刷ジョブと前記機密印刷識別情報とを対応付けて印刷情報記憶手段に記憶する第１書込手段と、
前記機密印刷識別情報を含む調停要求を前記印刷調停装置に送信する第１送信手段と、
前記印刷調停装置から、前記調停要求を識別する調停要求識別情報を受信する第１受信手段と、
前記第１受信手段により受信された前記調停要求識別情報を、前記印刷ジョブに対応付けて前記印刷情報記憶手段に記憶する第２書込手段と、
前記印刷調停装置から再送される前記調停要求識別情報を受信する第２受信手段と、
前記印刷情報記憶手段から、前記第２受信手段により受信された前記調停要求識別情報と一致する調停要求識別情報を検索する検索手段と、
検索された前記調停要求識別情報が対応付けられている印刷ジョブを前記画像形成装置に送信する第２送信手段と、を備え、
前記印刷調停装置は、
前記印刷サーバから、前記調停要求を受信する受信手段と、
受信された前記調停要求を識別する前記調停要求識別情報を生成し、前記調停要求に対応付けて調停情報記憶手段に記憶する生成手段と、
前記調停要求識別情報を前記印刷サーバに送信する第１送信手段と、
入力手段から、機密印刷識別情報の入力を受け付ける入力受付手段と、
前記調停情報記憶手段から、入力が受け付けられた前記機密印刷識別情報と一致する機密印刷識別情報を含む調停要求を検索する検索手段と、
検索された前記調停要求に対応付けられた前記調停要求識別情報を前記印刷サーバに再送する第２送信手段と、を備えることを特徴とする印刷調停システム。
【請求項９】
外部装置から、前記外部装置で作成された機密印刷用の印刷ジョブを識別する機密印刷識別情報を含む調停要求を受信する受信ステップと、
受信された前記調停要求を識別する調停要求識別情報を生成し、前記調停要求に対応付けて調停情報記憶手段に記憶する生成ステップと、
前記調停要求識別情報を前記外部装置に送信する第１送信ステップと、
入力手段から、機密印刷識別情報の入力を受け付ける入力受付ステップと、
前記調停情報記憶手段から、入力が受け付けられた前記機密印刷識別情報と一致する機密印刷識別情報を含む調停要求を検索する検索ステップと、
検索された前記調停要求に対応付けられた前記調停要求識別情報を前記外部装置に再送して、画像形成装置又は印刷サーバへの前記印刷ジョブの送信を指示する第２送信ステップと、
をコンピュータに実行させるための印刷調停プログラム。
【発明の詳細な説明】
【技術分野】
【０００１】
本発明は、印刷調停装置、印刷調停システム及び印刷調停プログラムに関する。
【背景技術】
【０００２】
従来から、ユーザ認証を行ってから印刷を行う機密印刷技術が知られている。このような技術では、画像形成装置が、ＰＣ（Personal  Computer）から印刷ジョブを受信し、受信した印刷ジョブを一旦スプールして待機する。そして、ユーザにより画像形成装置へのログインが行われることにより印刷要求が行われると、画像形成装置がスプールしていた印刷ジョブを用いて印刷を行う。
【０００３】
例えば特許文献１には、画像形成装置が、クライアント端末から受信したプリントデータをスプールし、携帯情報端末からの印刷要求を受信すると、スプールしているプリントデータを印刷する技術が開示されている。
【発明の概要】
【発明が解決しようとする課題】
【０００４】
しかしながら、上述したような技術では、印刷要求が行われるまで画像形成装置に印刷ジョブがスプールされるため、画像形成装置のリソースが不要に消費されてしまうという問題がある。
【０００５】
本発明は、上記事情に鑑みてなされたものであり、機密印刷を行う際に画像形成装置のリソースが不要に消費されてしまうことを防止できる印刷調停装置、印刷調停システム及び印刷調停プログラムを提供することを目的とする。
【課題を解決するための手段】
【０００６】
上述した課題を解決し、目的を達成するために、本発明の一態様にかかる印刷調停装置は、外部装置から、前記外部装置で作成された機密印刷用の印刷ジョブを識別する機密印刷識別情報を含む調停要求を受信する受信手段と、受信された前記調停要求を識別する調停要求識別情報を生成し、前記調停要求に対応付けて調停情報記憶手段に記憶する生成手段と、前記調停要求識別情報を前記外部装置に送信する第１送信手段と、入力手段から、機密印刷識別情報の入力を受け付ける入力受付手段と、前記調停情報記憶手段から、入力が受け付けられた前記機密印刷識別情報と一致する機密印刷識別情報を含む調停要求を検索する検索手段と、検索された前記調停要求に対応付けられた前記調停要求識別情報を前記外部装置に再送して、画像形成装置又は印刷サーバへの前記印刷ジョブの送信を指示する第２送信手段と、を備えることを特徴とする。
【０００７】
また、本発明の別の態様にかかる印刷調停システムは、画像形成装置又は印刷サーバとネットワークを介して接続される情報処理装置と、前記情報処理装置と前記ネットワークを介して接続される印刷調停装置と、を備える印刷調停システムであって、前記情報処理装置は、機密印刷用の印刷ジョブを作成して、印刷情報記憶手段に記憶する作成手段と、前記印刷ジョブを識別する機密印刷識別情報の入力を受け付ける入力受付手段と、前記機密印刷識別情報を前記印刷ジョブに対応付けて前記印刷情報記憶手段に記憶する第１書込手段と、前記機密印刷識別情報を含む調停要求を前記印刷調停装置に送信する第１送信手段と、前記印刷調停装置から、前記調停要求を識別する調停要求識別情報を受信する第１受信手段と、前記第１受信手段により受信された前記調停要求識別情報を、前記印刷ジョブに対応付けて前記印刷情報記憶手段に記憶する第２書込手段と、前記印刷調停装置から再送される前記調停要求識別情報を受信する第２受信手段と、前記印刷情報記憶手段から、前記第２受信手段により受信された前記調停要求識別情報と一致する調停要求識別情報を検索する検索手段と、検索された前記調停要求識別情報が対応付けられている印刷ジョブを前記画像形成装置又は前記印刷サーバに送信する第２送信手段と、を備え、前記印刷調停装置は、前記情報処理装置から、前記調停要求を受信する受信手段と、受信された前記調停要求を識別する前記調停要求識別情報を生成し、前記調停要求に対応付けて調停情報記憶手段に記憶する生成手段と、前記調停要求識別情報を前記情報処理装置に送信する第１送信手段と、入力手段から、機密印刷識別情報の入力を受け付ける入力受付手段と、前記調停情報記憶手段から、入力が受け付けられた前記機密印刷識別情報と一致する機密印刷識別情報を含む調停要求を検索する検索手段と、検索された前記調停要求に対応付けられた前記調停要求識別情報を前記情報処理装置に再送する第２送信手段と、を備えることを特徴とする。
【０００８】
また、本発明の別の態様にかかる印刷調停システムは、情報処理装置及び画像形成装置とネットワークを介して接続される印刷サーバと、前記印刷サーバと前記ネットワークを介して接続される印刷調停装置と、を備える印刷調停システムであって、前記印刷サーバは、前記情報処理装置から、機密印刷用の印刷ジョブと前記印刷ジョブを識別する機密印刷識別情報とを受信する印刷情報受信手段と、前記印刷ジョブと前記機密印刷識別情報とを対応付けて印刷情報記憶手段に記憶する第１書込手段と、前記機密印刷識別情報を含む調停要求を前記印刷調停装置に送信する第１送信手段と、前記印刷調停装置から、前記調停要求を識別する調停要求識別情報を受信する第１受信手段と、前記第１受信手段により受信された前記調停要求識別情報を、前記印刷ジョブに対応付けて前記印刷情報記憶手段に記憶する第２書込手段と、前記印刷調停装置から再送される前記調停要求識別情報を受信する第２受信手段と、前記印刷情報記憶手段から、前記第２受信手段により受信された前記調停要求識別情報と一致する調停要求識別情報を検索する検索手段と、検索された前記調停要求識別情報が対応付けられている印刷ジョブを前記画像形成装置に送信する第２送信手段と、を備え、前記印刷調停装置は、前記印刷サーバから、前記調停要求を受信する受信手段と、受信された前記調停要求を識別する前記調停要求識別情報を生成し、前記調停要求に対応付けて調停情報記憶手段に記憶する生成手段と、前記調停要求識別情報を前記印刷サーバに送信する第１送信手段と、入力手段から、機密印刷識別情報の入力を受け付ける入力受付手段と、前記調停情報記憶手段から、入力が受け付けられた前記機密印刷識別情報と一致する機密印刷識別情報を含む調停要求を検索する検索手段と、検索された前記調停要求に対応付けられた前記調停要求識別情報を前記印刷サーバに再送する第２送信手段と、を備えることを特徴とする。
【０００９】
また、本発明の別の態様にかかる印刷調停プログラムは、外部装置から、前記外部装置で作成された機密印刷用の印刷ジョブを識別する機密印刷識別情報を含む調停要求を受信する受信ステップと、受信された前記調停要求を識別する調停要求識別情報を生成し、前記調停要求に対応付けて調停情報記憶手段に記憶する生成ステップと、前記調停要求識別情報を前記外部装置に送信する第１送信ステップと、入力手段から、機密印刷識別情報の入力を受け付ける入力受付ステップと、前記調停情報記憶手段から、入力が受け付けられた前記機密印刷識別情報と一致する機密印刷識別情報を含む調停要求を検索する検索ステップと、検索された前記調停要求に対応付けられた前記調停要求識別情報を前記外部装置に再送して、画像形成装置又は印刷サーバへの前記印刷ジョブの送信を指示する第２送信ステップと、をコンピュータに実行させるためのものである。
【発明の効果】
【００１０】
本発明によれば、機密印刷を行う際に画像形成装置のリソースが不要に消費されてしまうことを防止できるという効果を奏する。
【図面の簡単な説明】
【００１１】
【図１】図１は、第１実施形態の印刷調停システムの構成例を示すブロック図である。
【図２】図２は、第１実施形態のＰＣの構成例を示すブロック図である。
【図３】図３は、第１実施形態の印刷調停装置の構成例を示すブロック図である。
【図４】図４は、第１実施形態のＰＣで行われる処理例を示すフローチャートである。
【図５】図５は、設定画面の一例を示す図である。
【図６】図６は、入力画面の一例を示す図である。
【図７】図７は、報知画面の一例を示す図である。
【図８】図８は、第１実施形態の印刷情報記憶部に記憶されている情報例を示す図である。
【図９】図９は、第１実施形態の印刷調停装置で行われる処理例を示すフローチャートである。
【図１０】図１０は、第１実施形態の調停情報記憶部に記憶されている情報例を示す図である。
【図１１】図１１は、タイトル一覧画面の一例を示す図である。
【図１２】図１２は、調停要求の詳細画面の一例を示す図である。
【図１３】図１３は、報知画面の一例を示す図である。
【図１４】図１４は、設定画面の一例を示す図である。
【図１５】図１５は、設定画面の一例を示す図である。
【図１６】図１６は、第２実施形態の印刷調停システムの構成例を示すブロック図である。
【図１７】図１７は、第３実施形態の印刷調停システムの構成例を示すブロック図である。
【図１８】図１８は、第３実施形態のＰＣの構成例を示すブロック図である。
【図１９】図１９は、第３実施形態のプリンタサーバの構成例を示すブロック図である。
【図２０】図２０は、第３実施形態のＰＣで行われる処理例を示すフローチャートである。
【図２１】図２１は、第３実施形態のプリンタサーバで行われる処理例を示すフローチャートである。
【発明を実施するための形態】
【００１２】
以下、添付図面を参照しながら、本発明にかかる印刷調停装置、印刷調停システム及び印刷調停プログラムの実施形態を詳細に説明する。
【００１３】
（第１実施形態）
まず、第１実施形態の印刷調停システムの構成について説明する。
【００１４】
図１は、第１実施形態の印刷調停システム１０の構成の一例を示すブロック図である。図１に示すように、印刷調停システム１０は、ＰＣ１００（情報処理装置の一例）と、印刷調停装置２００と、プリンタ３００（画像形成装置の一例）とを、備える。ＰＣ１００、印刷調停装置２００、及びプリンタ３００は、ネットワーク２０を介して接続されている。ネットワーク２０は、例えば、ＬＡＮ(Local  Area  Network)、などにより実現できる。なお第１実施形態では、ＰＣ、プリンタの数がそれぞれ１台である場合を例に取り説明するが、これに限定されるものではなく、ＰＣの数は複数台あってもよいし、プリンタの数も複数台あってもよい。
【００１５】
印刷調停システム１０では、ＰＣ１００が印刷調停装置２００に調停要求を行い、印刷調停装置２００による調停（認証）が行われると（矢印１−１参照）、ＰＣ１００がプリンタ３００に印刷ジョブを送信する（矢印１−２参照）。そしてプリンタ３００が、受信した印刷ジョブに従って印刷する。
【００１６】
図２は、第１実施形態のＰＣ１００の構成の一例を示すブロック図である。図２に示すように、ＰＣ１００は、通信部１１０と、表示部１２０と、入力部１３０と、記憶部１４０と、制御部１５０とを、備える。
【００１７】
通信部１１０は、ネットワーク２０を介して、印刷調停装置２００及びプリンタ３００と通信するものであり、例えば、通信インタフェースなどの既存の通信装置により実現できる。通信部１１０は、第１送信部１１２と、第１受信部１１４と、第２受信部１１６と、第２送信部１１８とを、含む。なお、これら各部の詳細については後述する。
【００１８】
表示部１２０は、各種画面を表示するものであり、液晶ディスプレイ又はタッチパネル式ディスプレイなどの既存の表示装置により実現できる。
【００１９】
入力部１３０は、各種操作の入力を行うものであり、ＩＣカードリーダ、キーボード、マウス、タッチパッド、及びタッチパネルなどの既存の入力装置の少なくともいずれかにより実現できる。
【００２０】
記憶部１４０は、ＰＣ１００で実行される各種プログラムやＰＣ１００で行われる各種処理に使用される各種情報などを記憶する。記憶部１４０は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、又は電気的に記憶可能な既存の記憶装置の少なくともいずれかにより実現できる。記憶部１４０は、機密印刷用の印刷ジョブなどを記憶する印刷情報記憶部１４２を含む。
【００２１】
制御部１５０は、ＰＣ１００の各部を制御するものであり、ＣＰＵ（Central  Processing  Unit）などの既存の制御装置により実現できる。制御部１５０は、作成部１５２と、入力受付部１５４と、第１書込部１５６と、第２書込部１５８と、検索部１６０と、表示制御部１６２とを、含む。
【００２２】
作成部１５２は、機密印刷用の印刷ジョブを作成して、印刷情報記憶部１４２に記憶する。
【００２３】
入力受付部１５４は、入力部１３０から、作成部１５２により作成された機密印刷用の印刷ジョブを識別する機密印刷ＩＤ（機密印刷識別情報の一例）の入力を受け付ける。
【００２４】
第１書込部１５６は、入力受付部１５４により受け付けられた機密印刷ＩＤを、作成部１５２により作成された印刷ジョブに対応付けて印刷情報記憶部１４２に記憶する。
【００２５】
ここで、第１送信部１１２及び第１受信部１１４について説明する。第１送信部１１２は、制御部１５０からの指示を受け、入力受付部１５４により受け付けられた機密印刷ＩＤを含む調停要求を印刷調停装置２００に送信する。
【００２６】
第１受信部１１４は、印刷調停装置２００から、第１送信部１１２により印刷調停装置２００に送信された調停要求を識別する受付番号（調停要求識別情報の一例）を受信する。
【００２７】
第２書込部１５８は、第１受信部１１４により受信された受付番号を、作成部１５２により作成された印刷ジョブに対応付けて印刷情報記憶部１４２に記憶する。
【００２８】
ここで、第２受信部１１６について説明する。第２受信部１１６は、印刷調停装置２００から再送される受付番号を受信する。
【００２９】
検索部１６０は、印刷情報記憶部１４２から、第２受信部１１６により受信された受付番号と一致する受付番号を検索する。
【００３０】
ここで、第２送信部１１８について説明する。第２送信部１１８は、制御部１５０からの指示を受け、検索部１６０により検索された受付番号が対応付けられている印刷ジョブをプリンタ３００に送信する。
【００３１】
表示制御部１６２は、印刷内容を設定するための設定画面、各種情報を入力するための入力画面、及び印刷状態を報知するための報知画面などの各種画面を表示部１２０に表示させる。
【００３２】
なお、ＰＣ１００は、上述した各部の全てを必須の構成とする必要はなく、その一部を省略した構成としてもよい。
【００３３】
図３は、第１実施形態の印刷調停装置２００の構成の一例を示すブロック図である。図３に示すように、印刷調停装置２００は、通信部２１０と、表示部２２０と、入力部２３０と、記憶部２４０と、制御部２５０とを、備える。
【００３４】
通信部２１０は、ネットワーク２０を介して、ＰＣ１００と通信するものであり、ＰＣ１００同様、既存の通信装置により実現できる。通信部２１０は、受信部２１２と、第１送信部２１４と、第２送信部２１６とを、含む。
【００３５】
受信部２１２は、ＰＣ１００から、ＰＣ１００で作成された機密印刷用の印刷ジョブを識別する機密印刷ＩＤを含む調停要求を受信する。なお、第１送信部２１４及び第２送信部２１６の詳細については後述する。
【００３６】
表示部２２０は、各種画面を表示するものであり、ＰＣ１００同様、既存の表示装置により実現できる。
【００３７】
入力部２３０は、各種操作の入力を行うものであり、ＰＣ１００同様、既存の入力装置の少なくともいずれかにより実現できる。
【００３８】
記憶部２４０は、印刷調停装置２００で実行される各種プログラムや印刷調停装置２００で行われる各種処理に使用される各種情報などを記憶する。記憶部２４０は、ＰＣ１００同様、既存の記憶装置の少なくともいずれかにより実現できる。記憶部２４０は、調停要求などを記憶する調停情報記憶部２４２を含む。
【００３９】
制御部２５０は、印刷調停装置２００の各部を制御するものであり、ＰＣ１００同様、既存の制御装置により実現できる。制御部２５０は、生成部２５２と、入力受付部２５４と、検索部２５６と、表示制御部２５８と、計測部２６０と、消去部２６２とを、含む。
【００４０】
生成部２５２は、受信部２１２により受信された調停要求を識別する受付番号を生成し、受信した調停要求に対応付けて調停情報記憶部２４２に記憶する。
【００４１】
ここで、第１送信部２１４について説明する。第１送信部２１４は、生成部２５２により生成された受付番号をＰＣ１００に送信する。
【００４２】
入力受付部２５４は、入力部２３０から、機密印刷ＩＤの入力を受け付ける。
【００４３】
検索部２５６は、調停情報記憶部２４２から、入力受付部２５４により入力が受け付けられた機密印刷ＩＤと一致する機密印刷ＩＤを含む調停要求を検索する。
【００４４】
ここで、第２送信部２１６について説明する。第２送信部２１６は、検索部２５６により検索された調停要求に対応付けられた受付番号をＰＣ１００に再送する。これにより、第２送信部２１６は、ＰＣ１００にプリンタ３００への印刷ジョブの送信を指示する。
【００４５】
表示制御部２５８は、各種情報を入力するための入力画面、調停要求の一覧画面、調停要求の詳細画面などの各種画面を表示部２２０に表示させる。
【００４６】
計測部２６０は、受信部２１２により受信された調停要求が調停情報記憶部２４２に記憶されている期間を計測し、一定期間が経過したか否かを判定する。
【００４７】
消去部２６２は、計測部２６０により一定期間が経過したと判定された調停要求を、調停情報記憶部２４２から消去する。
【００４８】
なお、印刷調停装置２００は、上述した各部の全てを必須の構成とする必要はなく、その一部を省略した構成としてもよい。
【００４９】
次に、第１実施形態の印刷調停システムの動作について説明する。
【００５０】
図４は、第１実施形態のＰＣ１００で行われる処理の手順の流れの一例を示すフローチャートである。
【００５１】
まず、表示制御部１６２は、印刷内容を設定するための設定画面を表示部１２０に表示させ、入力受付部１５４は、入力部１３０から印刷内容を設定する設定入力を受け付ける（ステップＳ１００）。例えば、表示制御部１６２は、図５に示すような設定画面を表示部１２０に表示させ、入力受付部１５４は、例えばキーボードやマウスなどから、印刷ジョブのタイトル、印刷先のプリンタ名、印刷種別などを設定する設定入力を受け付ける。  続いて、作成部１５２は、入力受付部１５４により受け付けられた設定入力に基づいて印刷ジョブを作成し、入力受付部１５４により受け付けられた印刷ジョブのタイトル及び印刷先のプリンタ名、及び印刷状態とともに印刷情報記憶部１４２に記憶する（ステップＳ１０２）。
【００５２】
続いて、制御部１５０は、入力受付部１５４により受け付けられた印刷種別から、機密印刷であるか否かを判定する（ステップＳ１０４）。制御部１５０により機密印刷でないと判定された場合（ステップＳ１０４でＮｏ）、第２送信部１１８は、制御部１５０からの指示を受け、作成部１５２により作成された印刷ジョブをプリンタ３００に送信する（ステップＳ１０５）。
【００５３】
一方、制御部１５０により機密印刷であると判定された場合（ステップＳ１０４でＹｅｓ）、制御部１５０は、印刷ジョブの送信を一旦待機させる。そして、表示制御部１６２は、機密印刷ＩＤを入力するための入力画面を表示部１２０に表示させ、入力受付部１５４は、作成部１５２により作成された機密印刷用の印刷ジョブを識別する機密印刷ＩＤの入力を入力部１３０から受け付ける（ステップＳ１０６）。例えば、表示制御部１６２は、図６に示すような入力画面を表示部１２０に表示させ、入力受付部１５４は、例えばＩＣカードリーダ又はキーボードなどから、機密印刷ＩＤの入力を受け付ける。
【００５４】
続いて、第１書込部１５６は、入力受付部１５４により受け付けられた機密印刷ＩＤを、作成部１５２により作成された印刷ジョブに対応付けて印刷情報記憶部１４２に記憶する（ステップＳ１０８）。
【００５５】
続いて、第１送信部１１２は、制御部１５０からの指示を受け、入力受付部１５４により受け付けられた機密印刷ＩＤ、印刷ジョブのタイトル、及び印刷先のプリンタ名、並びに調停の要求元がＰＣ１００であることを識別する要求元ＩＤを含む調停要求を印刷調停装置２００に送信する（ステップＳ１１０）。調停要求が送信されると、表示制御部１６２は、例えば、図７に示すような、印刷が待機（スプール）されていることを報知する報知画面を表示部１２０に表示させる。
【００５６】
続いて、第１受信部１１４は、印刷調停装置２００から、第１送信部１１２により印刷調停装置２００に送信された調停要求を識別する受付番号を受信する（ステップＳ１１２）。
【００５７】
続いて、第２書込部１５８は、第１受信部１１４により受信された受付番号を、作成部１５２により作成された印刷ジョブに対応付けて印刷情報記憶部１４２に記憶する（ステップＳ１１４）。図８は、印刷情報記憶部１４２に記憶されている情報の一例を示す図である。図８に示す例では、印刷情報記憶部１４２は、印刷ジョブのタイトル、印刷ジョブ、印刷先のプリンタ名、機密印刷ＩＤ、受付番号、及び印刷状態を記憶している。なお、印刷ジョブのタイトル、印刷ジョブ、印刷先のプリンタ名，及び印刷状態は、ステップＳ１０２で印刷情報記憶部１４２に記憶され、機密印刷ＩＤは、ステップＳ１０８で印刷情報記憶部１４２に記憶され、受付番号は、ステップＳ１１４で印刷情報記憶部１４２に記憶される。
【００５８】
続いて、第２受信部１１６は、印刷調停装置２００からの受付番号の再送を待機し（ステップＳ１１６でＮｏ）、印刷調停装置２００から再送される受付番号を受信する（ステップＳ１１６でＹｅｓ）。
【００５９】
続いて、検索部１６０は、印刷情報記憶部１４２から、第２受信部１１６により受信された受付番号と一致する受付番号を検索する（ステップＳ１１８）。
【００６０】
続いて、第２送信部１１８は、制御部１５０からの指示を受け、検索部１６０により検索された受付番号が対応付けられている印刷ジョブをプリンタ３００に送信する（ステップＳ１２０）。
【００６１】
なお、ＰＣ１００で行われる各処理の手順はこれに限定されるものではなく、適宜入れ替えることができる。
【００６２】
図９は、第１実施形態の印刷調停装置２００で行われる処理の手順の流れの一例を示すフローチャートである。
【００６３】
まず、受信部２１２は、ＰＣ１００からの調停要求を受信する（ステップＳ２００でＹｅｓ）。
【００６４】
続いて、生成部２５２は、受信部２１２により受信された調停要求を識別する受付番号を生成し、受信した調停要求に対応付けて調停情報記憶部２４２に記憶する（ステップＳ２０２）。図１０は、調停情報記憶部２４２に記憶されている情報の一例を示す図である。図１０に示す例では、調停情報記憶部２４２は、受付番号、機密印刷ＩＤ、要求元ＩＤ、印刷ジョブのタイトル、及び印刷先のプリンタ名を記憶している。
【００６５】
続いて、第１送信部２１４は、生成部２５２により生成された受付番号をＰＣ１００に送信する（ステップＳ２０４）。そして、ステップＳ２００に戻る。
【００６６】
また、表示制御部２５８は、機密印刷ＩＤを入力するための入力画面を表示部２２０に表示させ、入力受付部２５４は、入力部２３０から機密印刷ＩＤの入力を受け付ける（ステップＳ２００でＮｏ、ステップＳ２０６でＹｅｓ）、例えば、表示制御部２５８は、図６に示すような入力画面を表示部２２０に表示させ、入力受付部２５４は、例えばＩＣカードリーダ又はキーボードなどから、機密印刷ＩＤの入力を受け付ける。
【００６７】
続いて、検索部２５６は、調停情報記憶部２４２から、入力受付部２５４により入力が受け付けられた機密印刷ＩＤと一致する機密印刷ＩＤを含む調停要求を検索する（ステップＳ２０８）。
【００６８】
調停要求が検索された場合（ステップＳ２１０でＹｅｓ）、表示制御部２５８は、検索部２５６により検索された調停要求に含まれる印刷ジョブのタイトルを表示部２２０に表示させる（ステップＳ２１２）。表示制御部２５８は、例えば、図１１に示すような、検索部２５６により検索された調停要求のタイトルが表示された調停要求一覧画面を表示部２２０に表示させ、更に、入力受付部２５４により受け付けられた選択入力に応じて、図１２に示すような、選択入力が受け付けられた調停要求の詳細画面を表示部２２０に表示させる。
【００６９】
続いて、入力受付部２５４は、表示部２２０に表示されたタイトルの中から、印刷を行う調停要求のタイトルの選択入力を受け付ける（ステップＳ２１４）。
【００７０】
続いて、第２送信部２１６は、入力受付部２５４により選択入力が受け付けられたタイトルを含む調停要求に対応付けられた受付番号をＰＣ１００に再送する（ステップＳ２１６）。そして、ステップＳ２００に戻る。
【００７１】
なお、ステップＳ２０８で調停要求が検索されなかった場合も（ステップＳ２１０でＮｏ）、ステップＳ２００に戻る。この際、表示制御部２５８は、例えば、図１３に示すような、機密印刷ＩＤを入力したユーザ用の調停要求がない旨を報知する報知画面を表示部２２０に表示させる。
【００７２】
また、計測部２６０は、受信部２１２により受信された調停要求が調停情報記憶部２４２に記憶されている期間を計測し、例えば、１０分間などの一定期間が経過したか否かを判定する（ステップＳ２００でＮｏ、ステップＳ２０６でＮｏ、ステップＳ２１８）。
【００７３】
消去部２６２は、計測部２６０により一定期間が経過したと判定された場合（ステップＳ２１８でＹｅｓ）、当該調停要求を調停情報記憶部２４２から消去する（ステップＳ２２０）。そして、ステップＳ２００に戻る。
【００７４】
一方、ステップＳ２１８で一定期間が経過したと判定されなかった場合も（ステップＳ２１８でＮｏ）、ステップＳ２００に戻る。
【００７５】
なお、印刷調停装置２００で行われる各処理の手順はこれに限定されるものではなく、適宜入れ替えることができる。
【００７６】
また、計測部２６０による判定に用いられる一定期間は、印刷調停システム１０の管理者により設定される。例えば、管理者が印刷調停装置２００にログインした場合、表示制御部２５８は、図１４に示すような、一定期間（破棄期限）を設定する設定画面を表示部２２０に表示させ、入力受付部２５４は、入力部２３０から一定期間の設定入力を受け付けると、計測部２６０は、一定期間を設定する。
【００７７】
また、表示制御部２５８は、管理者が印刷調停装置２００にログインした場合に、更に、図１５に示すような、調停要求の消去画面を表示部２２０に表示させ、消去部２６２が、入力受付部２５４により選択入力が受け付けられたタイトルの調停要求を消去するようにしてもよい。
【００７８】
以上のように、第１実施形態の印刷調停システムでは、ＰＣ１００が印刷調停装置２００に調停要求を行い、印刷調停装置２００による調停が行われると、ＰＣ１００がプリンタ３００に印刷ジョブを送信する。従って第１実施形態の印刷調停システムによれば、機密印刷を行う場合であってもプリンタに印刷ジョブがスプールされず、プリンタのリソースが不要に消費されてしまうことを防止することができる。
【００７９】
また、第１実施形態の印刷調停システムでは、印刷ジョブ自体は、印刷調停装置２００による調停に使用されず、ＰＣ１００からプリンタ３００に送信されるだけなので、ネットワーク負荷も低減できる。
【００８０】
また、第１実施形態の印刷調停システムでは、印刷調停装置２００で調停を行うため、プリンタ３００が機密印刷を行うためにメール機能、ＩＣカードリーダ、又はディスプレイなどを有する必要がなく、プリンタの機種に依存せずに機密印刷を行うことができる。
【００８１】
また、第１実施形態の印刷調停システムでは、印刷調停装置２００に一定期間残っている（放置されている）調停要求を自動的に消去するので、印刷調停装置のリソースを効率的に使用できるとともに、メンテナンス負荷を削減することができる。
【００８２】
（第２実施形態）
第２実施形態では、ＰＣがプリンタサーバに印刷ジョブを送信する例について説明する。以下では、第１実施形態との相違点の説明を主に行い、第１実施形態と同様の機能を有する構成要素については、第１実施形態と同様の名称・符号を付し、その説明を省略する。
【００８３】
図１６は、第２実施形態の印刷調停システム１０１０の構成の一例を示すブロック図である。第３実施形態の印刷調停システム１０１０では、プリンタサーバ１４００が追加され、ＰＣ１１００がプリンタサーバ１４００に印刷ジョブを送信する点で第１実施形態の印刷調停システム１０と相違する。
【００８４】
印刷調停システム１０１０では、ＰＣ１１００が印刷調停装置２００に調停要求を行い、印刷調停装置２００による調停（認証）が行われると（矢印１６−１参照）、ＰＣ１１００がプリンタサーバ１４００に印刷ジョブを送信し（矢印１６−２参照）、プリンタサーバ１４００が、ＰＣ１１００から受信した印刷ジョブをプリンタ３００に送信する（矢印１６−３参照）。そしてプリンタ３００が、受信した印刷ジョブに従って印刷する。
【００８５】
第２実施形態の印刷調停システムのように、プリンタサーバを更に備えるようにしてもよく、このようにしても第１実施形態と同様の効果を奏することができる。
【００８６】
（第３実施形態）
第３実施形態では、プリンタサーバが印刷調停装置に調停要求を行う例について説明する。以下では、第１実施形態との相違点の説明を主に行い、第１実施形態と同様の機能を有する構成要素については、第１実施形態と同様の名称・符号を付し、その説明を省略する。
【００８７】
図１７は、第３実施形態の印刷調停システム２０１０の構成の一例を示すブロック図である。第３実施形態の印刷調停システム２０１０では、プリンタサーバ２４００が追加され、プリンタサーバ２４００が印刷調停装置２００に調停要求を行う点で第１実施形態の印刷調停システム１０と相違する。
【００８８】
印刷調停システム２０１０では、ＰＣ２１００がプリンタサーバ２４００に印刷ジョブを送信し（矢印１７−１参照）、プリンタサーバ２４００が印刷調停装置２００に調停要求を行い、印刷調停装置２００による調停（認証）が行われると（矢印１７−２参照）、プリンタサーバ２４００が印刷ジョブをプリンタ３００に送信する（矢印１７−３参照）。そしてプリンタ３００が、受信した印刷ジョブに従って印刷する。
【００８９】
図１８は、第３実施形態のＰＣ２１００の構成の一例を示すブロック図である。第３実施形態のＰＣ２１００では、通信部２１１０が、ネットワーク２０を介して、プリンタサーバ３００と通信し、第１送信部、第１受信部、第２受信部、及び第２送信部を含まない点で第１実施形態のＰＣ１００と相違する。同様に、記憶部２１４０が、印刷情報記憶部を含まない点で第１実施形態のＰＣ１００と相違する。同様に、制御部２１５０が、第１書込部、第２書込部、及び検索部１６０を含まず、表示制御部２１６２の処理内容が第１実施形態のＰＣ１００と相違する。
【００９０】
図１９は、第３実施形態のプリンタサーバ２４００の構成の一例を示すブロック図である。図１９に示すように、プリンタサーバ２４００は、通信部２４１０と、表示部２４２０と、記憶部２４４０と、制御部２４５０とを、備える。
【００９１】
通信部２４１０は、ネットワーク２０を介して、ＰＣ２１００、印刷調停装置２００、及びプリンタ３００と通信するものであり、第１実施形態のＰＣ１００同様、既存の通信装置により実現できる。通信部２４１０は、印刷情報受信部２４１１と、第１送信部２４１２と、第１受信部２４１４と、第２受信部２４１６と、第２送信部２４１８とを、含む。
【００９２】
印刷情報受信部２４１１は、ＰＣ２１００から、機密印刷用の印刷ジョブと印刷ジョブを識別する機密印刷ＩＤとを受信する。なお、第１送信部２４１２、第１受信部２４１４、第２受信部２４１６、第２送信部２４１８は、それぞれ第１実施形態のＰＣ１００の第１送信部１１２、第１受信部１１４、第２受信部１１６、第２送信部１１８と同様であるため、説明を省略する。
【００９３】
表示部２４２０は、第１実施形態のＰＣ１００の表示部１２０と同様であるため、説明を省略する。
【００９４】
入力部２４３０は、第１実施形態のＰＣ１００の入力部１３０と同様であるため、説明を省略する。
【００９５】
記憶部２４４０は、第１実施形態のＰＣ１００の記憶部１４０と同様であり、記憶部２４４０が含む印刷情報記憶部２４４２も第１実施形態のＰＣ１００の印刷情報記憶部１４２と同様であるため、説明を省略する。
【００９６】
制御部２４５０は、プリンタサーバ２４００の各部を制御するものであり、第１実施形態のＰＣ１００同様、既存の制御装置により実現できる。制御部２４５０は、第１書込部２４５６と、第２書込部２４５８と、検索部２４６０と、表示制御部２４６２とを、含む。なお、第２書込部２４５８、検索部２４６０、表示制御部２４６２は、それぞれ第１実施形態のＰＣ１００の第２書込部１５８、検索部１６０、表示制御部１６２と同様であるため、説明を省略する。
【００９７】
第１書込部２４５６は、印刷情報受信部２４１１により受信された印刷ジョブと機密印刷識別情報とを対応付けて印刷情報記憶部２４４２に記憶する。
【００９８】
なお、プリンタサーバ２４００は、上述した各部の全てを必須の構成とする必要はなく、その一部を省略した構成としてもよい。
【００９９】
図２０は、第３実施形態のＰＣ２１００で行われる処理の手順の流れの一例を示すフローチャートである。
【０１００】
まず、ステップＳ３００の処理は、図４のフローチャートのステップＳ１００の処理と同様であるため、説明を省略する。
【０１０１】
続いて、作成部１５２は、入力受付部１５４により受け付けられた設定入力に基づいて印刷ジョブを作成する（ステップＳ３０２）。
【０１０２】
続いて、ステップＳ３０４〜Ｓ３０６の処理は、図４のフローチャートのステップＳ１０４〜Ｓ１０６の処理と同様であるため、説明を省略する。
【０１０３】
続いて、通信部２１１０は、制御部２１５０からの指示を受け、入力受付部１５４により受け付けられた機密印刷ＩＤ、印刷ジョブのタイトル、及び印刷先のプリンタ名、並びに作成部１５２により作成された印刷ジョブなどを含む機密印刷情報をプリンタサーバ２４００に送信する（ステップＳ３０８）。
【０１０４】
なお、制御部２１５０により機密印刷でないと判定された場合（ステップＳ３０４でＮｏ）、通信部２１１０は、制御部２１５０からの指示を受け、作成部１５２により作成された印刷ジョブや入力受付部１５４に受け付けられた印刷先のプリンタ名などを含む印刷情報をプリンタサーバ２４００に送信する（ステップＳ３１０）。
【０１０５】
そして、プリンタサーバ２４００からの印刷終了通知を待機し（ステップＳ３１２でＮｏ）、通信部２１１０がプリンタサーバ２４００から印刷終了通知を受信すると、処理を終了する（ステップＳ３１２でＹｅｓ）。なお、印刷終了通知の待機中は、表示制御部２１６２が機密印刷又は通常印刷が終わっていないことを報知する報知画面を表示部１２０に表示させる。同様に、印刷終了通知の受信後は、表示制御部２１６２が機密印刷又は通常印刷が終了したことを報知する報知画面を表示部１２０に表示させる。
【０１０６】
図２１は、第３実施形態のプリンタサーバ２４００で行われる処理の手順の流れの一例を示すフローチャートである。
【０１０７】
まず、印刷情報受信部２４１１は、ＰＣ２１００から、機密印刷用の印刷ジョブと印刷ジョブを識別する機密印刷ＩＤとを含む機密印刷情報を受信する（ステップＳ４００でＹｅｓ）。
【０１０８】
続いて、第１書込部２４５６は、印刷情報受信部２４１１により受信された印刷ジョブと機密印刷識別情報とを対応付けて印刷情報記憶部２４４２に記憶する（ステップＳ４０２）。
【０１０９】
以降のステップＳ４０４〜Ｓ４１４までの処理は、図４のフローチャートのステップＳ１１０〜Ｓ１２０の処理と同様であるため、説明を省略する。
【０１１０】
なお、印刷情報受信部２４１１は、ＰＣ２１００から、機密印刷情報ではなく通常の印刷情報を受信した場合（ステップＳ４００でＮｏ）、第２送信部２４１８は、受信された印刷情報に含まれる印刷ジョブをプリンタ３００に送信する（ステップＳ４１６）。
【０１１１】
そして、印刷ジョブをプリンタ３００に送信し、機密印刷又は通常の印刷が終了すると、第２送信部２４１８は、印刷終了通知をＰＣ２１００に送信する（ステップＳ４１８）。
【０１１２】
第３実施形態の印刷調停システムのように、プリンタサーバを更に備えるようにしてもよく、このようにしても第１実施形態と同様の効果を奏することができる。
【０１１３】
（ハードウェア構成）
第１〜第３実施形態の印刷調停装置２００のハードウェア構成の一例について説明する。第１〜第３実施形態の印刷調停装置２００は、ＣＰＵなどの制御装置と、ＲＯＭやＲＡＭなどの記憶装置と、ＨＤＤやリムーバブルドライブ装置などの外部記憶装置と、ディスプレイなどの表示装置と、ＩＣカードリーダ、キーボード又はマウスなどの入力装置と、通信インタフェースなどの通信装置とを備えており、通常のコンピュータを利用したハードウェア構成となっている。なお、詳細な説明は省略するが、第１〜第３実施形態のＰＣや第２〜第３実施形態のプリンタサーバも通常のコンピュータを利用したハードウェア構成となっている。
【０１１４】
第１〜第３実施形態の印刷調停装置２００で実行される印刷調停プログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１１５】
また、第１〜第３実施形態の印刷調停装置２００で実行される印刷調停プログラムを、インターネット等のネットワークに接続されたコンピュータ上に格納し、ネットワーク経由でダウンロードさせることにより提供するようにしてもよい。また、第１〜第３実施形態の印刷調停装置２００で実行される印刷調停プログラムを、インターネット等のネットワーク経由で提供または配布するようにしてもよい。また、第１〜第３実施形態の印刷調停装置２００で実行される印刷調停プログラムを、ＲＯＭ等に予め組み込んで提供するようにしてもよい。
【０１１６】
第１〜第３実施形態の印刷調停装置２００で実行される印刷調停プログラムは、上述した各部をコンピュータ上で実現させるためのモジュール構成となっている。実際のハードウェアとしては、ＣＰＵがＨＤＤから意思決定支援プログラムをＲＡＭ上に読み出して実行することにより、上記各部がコンピュータ上で実現されるようになっている。なお、詳細な説明は省略するが、第１〜第３実施形態のＰＣや第２〜第３実施形態のプリンタサーバで実行されるプログラムも同様である。
【０１１７】
（変形例）
なお、本発明は、上記実施形態に限定されるものではなく、種々の変形が可能である。例えば、上記各実施形態では、印刷調停装置を通常のコンピュータとしたが、携帯電話などの携帯可能な端末であってもよい。また上記各実施形態では、画像形成装置の一例としてプリンタを例に取り説明したが、これに限定されるものではなく、プリンタ機能に加え、コピー機能、スキャナ機能、及びファクシミリ機能のうち少なくともいずれかの機能を有する複合機であってもよい。
【符号の説明】
【０１１８】
１０、１０１０、２０１０  印刷調停システム
２０  ネットワーク
１００、１１００、２１００  ＰＣ
１１０、２１１０  通信部
１１２  第１送信部
１１４  第１受信部
１１６  第２受信部
１１８  第２送信部
１２０  表示部
１３０  入力部
１４０、２１４０  記憶部
１４２  印刷情報記憶部
１５０、２１５０  制御部
１５２  作成部
１５４  入力受付部
１５６  第１書込部
１５８  第２書込部
１６０  検索部
１６２、２１６２  表示制御部
２００  印刷調停装置
２１０  通信部
２１２  受信部
２１４  第１送信部
２１６  第２送信部
２２０  表示部
２３０  入力部
２４０  記憶部
２４２  調停情報記憶部
２５０  制御部
２５２  生成部
２５４  入力受付部
２５６  検索部
２５８  表示制御部
２６０  計測部
２６２  消去部
３００  プリンタ
１４００、２４００  プリンタサーバ
２４１０  通信部
２４１１  印刷情報受信部
２４１２  第１送信部
２４１４  第１受信部
２４１６  第２受信部
２４１８  第２送信部
２４２０  表示部
２４３０  入力部
２４４０  記憶部
２４４２  印刷情報記憶部
２４５０  制御部
２４５６  第１書込部
２４５８  第２書込部
２４６０  検索部
２４６２  表示制御部
【先行技術文献】
【特許文献】
【０１１９】
【特許文献１】特開２００２−１３２４７７号公報
【図１】
2011186841.tif 000003
【図２】
2011186841.tif 000004
【図３】
2011186841.tif 000005
【図４】
2011186841.tif 000006
【図５】
2011186841.tif 000007
【図６】
2011186841.tif 000008
【図７】
2011186841.tif 000009
【図８】
2011186841.tif 000010
【図９】
2011186841.tif 000011
【図１０】
2011186841.tif 000012
【図１１】
2011186841.tif 000013
【図１２】
2011186841.tif 000014
【図１３】
2011186841.tif 000015
【図１４】
2011186841.tif 000016
【図１５】
2011186841.tif 000017
【図１６】
2011186841.tif 000018
【図１７】
2011186841.tif 000019
【図１８】
2011186841.tif 000020
【図１９】
2011186841.tif 000021
【図２０】
2011186841.tif 000022
【図２１】
2011186841.tif 000023